(57)【特許請求の範囲】
【請求項１】
ゴミ袋等の袋物を運搬するための手提げ運搬具であって、
前記袋物を底部から上下方向に取り回すように、間隔を有して前記袋物を直接支持する２本以上の支持ベルト部と、
前記袋物の側面部に位置する前記支持ベルト部同士を横方向に連結する連結ベルト部と、
前記袋物の側面部に沿った前記支持ベルト部の上側部分の連結によって形成された手提げ用の取手部と、
前記袋物の底部に位置する前記支持ベルト部を連結する底部材と、
を備え、
前記連結ベルト部は、前記袋物の側面部に位置する２本以上の前記支持ベルト部の間隔を、横方向に連結する連結ベルトを含み、
前記底部材は、前記袋物の底部が接する２本以上の前記支持ベルト部の間隔を横方向に連結する横底ベルトを含み、
前記連結ベルト部は、前記袋物の側面部に位置する前記支持ベルト部に対してその支持ベルト部に沿って前記袋物の上下方向に移動可能に連結されて、前記連結ベルトの取付け位置が変更可能とされ、
前記連結ベルト部は、前記連結ベルトから連続して前記支持ベルト部の外側に対をなしてそれぞれ延び出る結束ベルト部を含み、対をなす前記結束ベルト部の端を連結することにより、前記連結ベルト部が閉じたループを形成するとともに、その連結によって前記連結ベルト部が前記袋物の横位置を規制しており、
ゴミ袋等の袋物を、前記支持ベルト部と前記底部材と前記連結ベルト部で形成される空間内に収容し、前記支持ベルト部と前記底部材によりその袋物の底部を支持するとともに、前記支持ベルト部及び前記連結ベルト部により前記袋物の位置を規制し、かつ前記取手部を把持して、手提げ状態で前記袋物を運搬することを特徴とするゴミ袋等運搬用手提げ運搬具。
【請求項２】
前記連結ベルト部は、前記袋物の側面部に位置する２本以上の前記支持ベルト部の少なくとも上下２箇所を横方向に連結するものである請求項１に記載のゴミ袋等運搬用手提げ運搬具。
【請求項３】
前記支持ベルト部に連結して前記底部材を構成する前記横底ベルトには、最外側の前記支持ベルト部との連結部から外側に延び出る下側連結ベルト部を含み、
前記下側連結ベルト部の端は更に上方へ延長されてその延長部分が上下方向連結ベルト部を形成し、
前記上下方向連結ベルト部の端は前記連結ベルト部の上側のものに連結され、前記上下方向連結ベルト部が前記袋物の側部の位置を規制している請求項１又は２に記載のゴミ袋等運搬用手提げ運搬具。
【請求項４】
前記袋物を取り回して支持する前記支持ベルト部の上側部分となる端には、間隔を介して隣接する２本の支持ベルト部の端部同士を連結する湾曲状の折り返し部が形成され、
その折り返し部によって２本の前記支持ベルト部は大きな一つのループを構成するとともに、前記湾曲状の折り返し部は前記取手部を構成する取手ベルト部であり、その取手ベルト部は、前記支持ベルト部の上側部分で互いに２つが近接する状態で使用者の手で把持され、前記袋物を運搬することを特徴とする請求項１ないし３のいずれか１項に記載のゴミ袋等運搬用手提げ運搬具。
【請求項５】
前記袋物を取り回して支持する前記支持ベルト部の上側部分となる端には、２本の支持ベルト部のそれぞれの端部同士を連結する湾曲状の折り返し部が形成され、
その折り返し部によって前記支持ベルト部はそれぞれループを構成するとともに、前記湾曲状の折り返し部は前記取手部を構成する取手ベルト部であり、その取手ベルト部は、前記支持ベルト部の上側部分で互いに２つが近接する状態で使用者の手で把持され、前記袋物を運搬することを特徴とする請求項１ないし３のいずれか１項に記載のゴミ袋等運搬用手提げ運搬具。
【発明の詳細な説明】
【技術分野】
【０００１】
この発明は、ゴミ袋等の袋物を運搬するための手提げ運搬具に関する。
【背景技術】
【０００２】
従来、家庭で発生するゴミ（可燃ゴミ、不燃ゴミ等）は、一般にビニール袋や紙袋等の、自治体で指定されるゴミ袋に入れ、予め決められたゴミ収集日において、各地区ごとに指定されたゴミ集積所に、各家庭からゴミ袋を運搬し、ゴミ集収車が各集積所に集められたゴミ袋を回収している。
【０００３】
そのようなゴミ袋を各家庭から集積所へ運ぶ際には、ひとりで片手に１個のゴミ袋をぶら下げ、あるいは両手に２個のゴミ袋をぶら下げて、数十メートル以上、場合によっては２００メートルとか３００メートルとかの比較的長い距離を運ばなければならない。しかし、一般にビニール等合成樹脂製又は紙製のゴミ袋の上部を手で強く掴んで運ぶことは握力の関係でかなり疲れる作業である。またゴミ袋の上部が内容物の重みで破れることもあり、そうするとゴミ袋を抱きかかえるようにして運ぶ必要も生じうるが、ゴミ袋の内容物が生ゴミだったりすると、生ごみの液がゴミ袋からしみでることもあるので、かなり運びにくい状況が生じる。
【０００４】
そこで、ゴミ袋の上部に強度を補強した引掛け孔を形成し、その引掛け孔に、特許文献１に示すような手荷物運搬用保持具、又は特許文献２に示すような手荷物運搬用補助ベルトの吊フックを引掛けて運ぶことも考えられる。しかし、補強処理された引掛け孔を有するゴミ袋はその製造が面倒であり、コストも高くなって、多くの家庭にわたり低廉かつ大量に供給するゴミ袋としては現実にそぐわない場合もある。
【特許文献１】特開２００４−２１５９８６号公報
【特許文献２】実用新案登録第３０６７３９５号公報
【発明の開示】
【発明が解決しようとする課題】
【０００５】
この発明の課題は、ゴミが収容された家庭のゴミ袋等の運搬に好適なゴミ袋等運搬用手提げ運搬具を提供することにある。
【課題を解決するための手段及び発明の効果】
【０００６】
そして本発明は、ゴミ袋等の袋物を運搬するための手提げ運搬具であって、
前記袋物を底部から上下方向に取り回すように、間隔を有して前記袋物を直接支持する２本以上の支持ベルト部と、前記袋物の側面部に位置する前記支持ベルト部同士を横方向に連結する連結ベルト部と、前記袋物の側面部に沿った前記支持ベルト部の上側部分の連結によって形成された手提げ用の取手部と、前記袋物の底部に位置する前記支持ベルト部を連結する底部材と、を備え、
前記連結ベルト部は、前記袋物の側面部に位置する２本以上の前記支持ベルト部の間隔を、横方向に連結する連結ベルトを含み、
前記底部材は、前記袋物の底部が接する２本以上の前記支持ベルト部の間隔を横方向に連結する横底ベルトを含み、
前記連結ベルト部は、前記袋物の側面部に位置する前記支持ベルト部に対してその支持ベルト部に沿って前記袋物の上下方向に移動可能に連結されて、前記連結ベルトの取付け位置が変更可能とされ、
前記連結ベルト部は、前記連結ベルトから連続して前記支持ベルト部の外側に対をなしてそれぞれ延び出る結束ベルト部を含み、対をなす前記結束ベルト部の端を連結することにより、前記連結ベルト部が閉じたループを形成するとともに、その連結によって前記連結ベルト部が前記袋物の横位置を規制しており、
ゴミ袋等の袋物を、前記支持ベルト部と前記底部材と前記連結ベルト部で形成される空間内に収容し、前記支持ベルト部と前記底部材によりその袋物の底部を支持するとともに、前記支持ベルト部及び前記連結ベルト部により前記袋物の位置を規制し、かつ前記取手部を把持して、手提げ状態で前記袋物を運搬することを特徴とする。
【０００７】
このようにすれば、支持ベルト部と前記底部材と前記連結ベルト部で形成される空間にゴミ袋等の袋物を配置し、手提げ用の取手部を持ち上げることにより支持ベルト部を介して袋物を吊り下げ状態で持ち上げることができ、その状態で容易にゴミ袋等を運搬することができる。そのため、家庭で生じた生活ゴミのゴミ袋を集積所等に運搬する場合も、この手提げ運搬具があればそのゴミ袋の上部等を直接手で把持する強い握力も必要なく、また抱えたりする必要もなく簡単に運ぶことができる。
【０００９】
また、上記の効果に加え、袋物の側面部に位置する支持ベルト部同士を横方向に連結する連結ベルト部によってゴミ袋等の袋物の位置がより効果的に規制され、運搬する状態でゴミ袋等の袋物が落下したりすることを抑制ないし防止することができる。
【００１１】
また、閉じたループを形成するように横方向に連結する連結ベルト部によって、ゴミ袋等の袋物の周囲が３６０°包囲されるため、袋物の保持がより確実に行われる。
【００１３】
また、連結ベルトから延び出る結束ベルトの結束を解除すれば、連結ベルト部が閉ループを構成することなく不連続とされ、この手提げ運搬具は横方向が開放できるため、ゴミ袋の出し入れが容易となる。
【００１５】
また、結束ベルトをどの程度締めこんで結束するかで、手提げ運搬具の幅寸法を調整することができるため、ゴミ袋等の胴部が小さいものでは、結束ベルトをより締めこんで結束することによりゴミ袋等の位置規制効果を高め、また、ゴミ袋の胴部が大きいものでは結束ベルトの結束径を大きくとることで、ゴミ袋の胴部の大きさにかかわらず汎用的に使用できる手提げ運搬具となる。
【００１６】
また本発明において、前記袋物を取り回して支持する前記支持ベルト部の上側部分となる端には、間隔を介して隣接する２本の支持ベルト部の端部同士を連結する湾曲状の折り返し部が形成され、その折り返し部によって２本の前記支持ベルト部は大きな一つのループを構成するとともに、前記湾曲状の折り返し部は前記取手部を構成する取手ベルト部であり、その取手ベルト部は、前記支持ベルトの上側部分で互いに２つが近接する状態で使用者の手で把持され、前記袋物を運搬することができる。
また、前記袋物を取り回して支持する前記支持ベルト部の上側部分となる端には、２本の支持ベルト部のそれぞれの端部同士を連結する湾曲状の折り返し部が形成され、その折り返し部によって前記支持ベルト部はそれぞれループを構成するとともに、前記湾曲状の折り返し部は前記取手部を構成する取手ベルト部であり、その取手ベルト部は、前記支持ベルト部の上側部分で互いに２つが近接する状態で使用者の手で把持され、前記袋物を運搬することができる。
【００１７】
このように取手部を取手ベルト部として、袋物を取り回して支持する前記支持ベルト部の上側部分となる端に支持ベルト部のそれぞれの端部同士を連結する湾曲状の折り返し部で形成すれば、形状が簡単であるのみならず、取手部を構成する金具を取り付ける場合等に比べて部品点数も少なく、かつ保管や取り扱いも容易となる。
【００１８】
また本発明において、前記連結ベルト部は、前記袋物の側面部に位置する２本以上の前記支持ベルト部の少なくとも上下２箇所を横方向に連結するものである。
【００１９】
このように連結ベルト部により支持ベルト部の少なくとも上下２箇所を横方向に連結すれば、ゴミ袋の袋物の側方への落下が効果的に防止され、位置の規制をより確実に行うことができる。
【００２０】
また本発明において、前記支持ベルト部に連結して前記底部材を構成する前記横底ベルトには、最外側の前記支持ベルト部との連結部から外側に延び出る下側連結ベルト部を含み、前記下側連結ベルト部の端は更に上方へ延長されて、その延長部分が上下方向連結ベルト部を形成し、前記上下方向連結ベルト部の端は前記連結ベルト部の上側のものに連結され、前記上下方向連結ベルト部が前記袋物の側部の位置を規制されている。
【００２１】
このように底部材を構成する下側連結ベルト部の端がさらに上方に延長されて、その延長部分が連結ベルト部の上側のものに連結される上下方向連結ベルト部とされることにより、いわばネット状にゴミ袋等の袋物を取り囲むこととなって、バッグ形態に近いものとなり、袋物をより安定に保持しつつ運搬することができる。
【００２３】
また、本発明によれば、ゴミ袋等の袋物の高さ寸法に応じて連結ベルト部の高さ位置を調整できるため、背の低いゴミ袋から背の高いゴミ袋まで、汎用的に使用できる手提げ運搬具となる。
【発明を実施するための最良の形態】
【００２４】
以下、本発明の実施の形態を、図面に示すいくつかの実施例を参照しつつ説明する。
【００２５】
図１は、本発明の一実施例であるゴミ袋等運搬用手提げ運搬具１０を示すものである。この手提げ運搬具１０は、１個のゴミ袋Ｇを入れて手提げ状態で運ぶためのものである。図４（展開図）及び図７（正面図）に示すように、この手提げ運搬具１０は、ゴミ袋Ｇの底部を上下方向に取り回すように支持する２本のベルト（支持ベルト部）１１と、それら支持ベルト部１１の上側部分同士並びに中間部分同士を横方向にループ状に連結する２本の連結ベルト部１４と、底部材１３とを備えている。底部材１３は、ゴミ袋Ｇの底部が接する部分に対応して、支持ベルト部１１同士を横方向につなぐ３本の横底部ベルト部１３ａと、これら３本の横底部ベルト部１３ａを、これらと直交するように連結する１本の縦底部ベルト部１３ｂとを備えている。
【００２６】
図４は、上述のように手提げ運搬具１０の展開図であり、２本の連結ベルト部１４，１４の両端部が互いに２本のループ状をなすように接続されている。また、これら連結ベルト部１４，１４と支持ベルト部１１，１１とは縫製糸により、あるいはリベット等の固定具により互いに固定的に連結されている。また、支持ベルト部１１の上側部分が延長された湾曲状の折り返し部が取手ベルト部１２とされ、これら２つの取手ベルト部１２は互いに近接する状態で使用者の手で把持されるようになっている。
【００２７】
図１に示すように、ゴミ袋Ｇの底部は底部材１３（横底部ベルト部１３ａと縦底部ベルト部１３ｂ）に着座し、ゴミ袋Ｇの底部を上下方向に取り回すように位置する２本の支持ベルト部１１によって支持される。
【００２８】
図２は、本発明の実施例２であるゴミ袋等運搬用手提げ運搬具２０を示しており、この手提げ運搬具２０は、例えば２個のゴミ袋Ｇを一度に運ぶために使用される。この手提げ運搬具２０の展開図を図５に、また、正面図を図８に示す。これらの図から明らかなように、この手提げ運搬具２０はゴミ袋Ｇの底部を上下方向に取り回すように支持する２本の支持ベルト部２１と、これらの支持ベルト部２１の上側部分及び中間部分を、それぞれ横方向に閉じたループ状に連結する２本の連結ベルト部２３を備えている。
【００２９】
さらに、この手提げ運搬具２０は、それら連結ベルト部２３を、各支持ベルト部２１の外側においてこれらと平行に縦方向に連結する２本の縦連結ベルト部２５を備え、さらに２本の支持ベルト部２１及び２本の縦連結ベルト部２５を横方向に連結する下側連結ベルト部（横底部ベルト部とも言える）２４が設けられている。さらに、その下側連結ベルト部２４の両側から湾曲部を介して上方に伸びる延長部分がそれぞれ上下方向連結ベルト部２６とされて、前述の２本の連結ベルト部２３にそれぞれ接続されている。
【００３０】
なお、２本の縦連結ベルト部２５、及び２本の上下方向連結ベルト部２６の端部は、上側の連結ベルト部２３の上端から突出することなくそこに固定されている。そして、２本の支持ベルト部２１の上側部分に、円弧状に折り返すように別ベルト部としての取手ベルト部２２が固定され、あるいは、支持ベルト部２１が連続的に折り返されるように他方の支持ベルト部２１につながり、この湾曲状の折り返し部分を利用して取手ベルト部２２が形成されている。
【００３１】
そして、図２に示すように、２本の支持ベルト部２１を中央にしてその両側に１個ずつ都合２個のゴミ袋Ｇが収容され、各ゴミ袋Ｇは２本の支持ベルト部２１の底部部分及び２本の下側連結ベルト部２４、さらに２本の縦連結ベルト部２５、並びに最外側の都合４本の上下方向連結ベルト部２６によって位置を規制され、かつ２本の取手ベルト部２２が手で把持されて持ち上げられることにより、２本の支持ベルト部２１を主体として支持されることとなる。
【００３２】
次に、図３に基づいて本発明の実施例３であるゴミ袋等運搬用手提げ運搬具３０について説明する。この手提げ運搬具３０の展開図を図６に、また正面図を図９に示す。これらの図から明らかなように、この手提げ運搬具３０は、ゴミ袋Ｇの底部を上下方向に取り回すように支持する２本の支持ベルト部３１と、これら支持ベルト部３１の底部部分を横方向に連結する底部ベルト部３３と、底部ベルト部３３から一定の高さ隔てた上側部分において２本の支持ベルト部３１を横方向に連結する連結ベルト部３４と、この連結ベルト部３４から両側にそれぞれ対をなして伸びる都合４本の結束ベルト部３５とを備えている。そして、２本の支持ベルト部３１の上側部分に別部材として取手ベルト部３２が接続され、あるいは２本の支持ベルト部３１をループ状につなぐ支持ベルト部３１の上側部分自体を利用して取手ベルト部３２が形成されている。
【００３３】
そして、図６において、対をなす結束ベルト部３５，３５が当該運搬具３０の左右又は前後に対応して位置し、それら対をなす結束ベルト部３５を、図３に示すように、それぞれ結束することによりゴミ袋Ｇの位置を規制するものである。ゴミ袋Ｇは、底部ベルト部３３に着座するとともに２本の支持ベルト部３１で支持され、かつそれらの支持ベルト部３１と、結束されたそれぞれの結束ベルト部３５とにより、位置が規制されて側方へ倒れこむことが防止される。そして、取手ベルト部３２を把持してゴミ袋Ｇを持ち上げ運搬することができる。
【００３４】
図３Ａは実施例３の変形例に係る手提げ運搬具３０’であり、この運搬具３０’は、図３で説明した実施例３の手提げ運搬具３０の底部材（底部ベルト部）３３を、図１で説明した実施例１の底部材１３で置換したものである。このようにすれば、ゴミ袋Ｇの底部を広い面積で安定に保持できるとともに、前述のように、ゴミ袋Ｇの大きさ（太さ）に合わせて結束ベルト部３５の結束量を調整することにより、ゴミ袋Ｇの前後・左右方向の揺れを抑制して運搬することができる。
【００３５】
図３Ｂは、図３Ａに示した手提げ運搬具３０’の更なる変形例に係る手提げ運搬具３０’’であり、この運搬具３０’’は底部材１３に対して並列する支持ベルト３１が、平行より所定角度θだけ上方に向かって開くように傾斜して底部材１３に接続されている。これにより、ゴミ袋Ｇの上部を幅方向により広くカバーでき、運搬時の安定性が増す。なお、図３Ｂに示した支持ベルト部の傾斜形態は、図１、図２、図３、図４、図５、図６、図７、図８、図９をはじめとして、図１０〜図２１の各種形態の手提げ運搬具にも、個々の図面は省略するが、同様に適用することができる。
【００３６】
さらに、図１に示した手提げ運搬具１０の変形例を、本発明の実施例４として図１０に示す。この手提げ運搬具１０Ａの図１に示す手提げ運搬具１０との相違点は、図１０において２本の横方向の連結ベルト部１４，１４の少なくとも１本が支持ベルト部１１の長手方向に沿って上下方向に移動できるようにした点である。例えば、連結ベルト部１４の中間部にベルト通し部１８がそれぞれ形成され、このベルト通し部１８に支持ベルト部１１が所定の摩擦を生じるように移動可能に通されることにより、連結ベルト部１４の高さ位置が所望の位置に変更できる。すなわち、支持ベルト部１１に対して連結ベルト部１４を上下方向に移動させ、そのベルト通し部１８と支持ベルト部１１の摩擦力により連結ベルト部１４は支持ベルト部１１の長手方向の任意の高さ位置で保持できる。このようにすれば、ゴミ袋Ｇが小さい場合には連結ベルト部１４の少なくとも１本を下に下げるようにすれば、ゴミ袋Ｇの手提げ運搬具１０Ａからの落下を防ぐことができ、また逆にゴミ袋Ｇが大きい場合には、例えば上側の連結ベルト部１４を上方へ移動させてゴミ袋Ｇの上側部分を安定的に保持することができる。
【００３７】
図２の手提げ運搬具２０の変形例として、図１１に、本発明の実施例５の手提げ運搬具２０Ａを示す。この手提げ運搬具２０Ａも、図１０のものと同様の趣旨で、中間の連結ベルト部２３が２本の支持ベルト部２１及び２本の縦連結ベルト部２５、更には上下方向連結ベルト部２６の長手方向に沿って上下方向に移動できるようになっている。ここでは、連結ベルト部２３にベルト通し部２８が形成され、これに支持ベルト部２１、縦連結ベルト部２５及び上下方向連結ベルト部２６が一定の摩擦力で通され、ゴミ袋Ｇの大きさなどに対応して横方向の連結ベルト部２３の高さ位置を変更できる。そして、変更した状態で、連結ベルト部２３はベルト通し部２８と支持ベルト部２１等との摩擦力により移動後の位置に保持される。
【００３８】
さらに、図３の変形例を、本発明の実施例６として図１２に示す。この手提げ運搬具３０Ａも、基本的には先の２つの変形例と同様に、支持ベルト部３１が連結ベルト部３４に形成されたベルト通し部３８に所定の摩擦で通され、この連結ベルト部３４が結束ベルト部３５とともに支持ベルト部３１の上下方向に沿って移動し、その高さ位置を変更できるようになっている。このようにすれば、ゴミ袋Ｇの直径に応じて結束ベルト部３５を適宜結束するとともに、ゴミ袋Ｇの高さ方向の大きさに応じて連結ベルト部３４及び結束ベルト部３５を上下方向に移動してその高さ位置の調整をすれば、ゴミ袋Ｇの大きさの相違にかかわらず、ゴミ袋Ｇを安定的に保持することができる。
【００３９】
図１３は、本発明の実施例７にかかる手提げ運搬具４０を示すものであり、この実施例は互いに平行に伸びるループ状の２本の支持ベルト部４１と、それら支持ベルト部４１の上側部分若しくは中間部分を閉ループ状に接続する連結ベルト部４４と、それら支持ベルト部４１の底部同士をつなぐ底部ベルト部４３とを備えている。そして、支持ベルト部４１の上側部分のＵ字状折り返し部がそれぞれ取手ベルト部４２，４２として利用される。このような手提げ運搬具４２の連結ベルト部４４及び支持ベルト部４１で区画される空間内にゴミ袋Ｇを入れて、取手ベルト部４２，４２を手で持って運搬することができる。
【００４０】
図１４は、本発明の実施例８の手提げ運搬具５０を示すものである。この手提げ運搬具５０は、所定間隔で互いに平行に配置された２本の支持ベルト部５１と、その支持ベルト部５１の底部に固定された例えば四角布状の底部材５３と、各支持ベルト部５１の中間部分を横方向に連結する連結ベルト部５４とを備え、支持ベルト部５１のＵ字状の上側部分が取手ベルト部５２として用いられるようになっている。この手提げ運搬具５０によれば、ゴミ袋Ｇの底部が面状の底部材５３に着座し、より安定的に保持されるとともに、支持ベルト部５１の側方が開放されているため、ゴミ袋Ｇをこの手提げ運搬具５０に入れたり出したりすることが容易である。
【００４１】
図１５に示す実施例９の手提げ運搬具６０は、１本のベルト素材をいわば８の字状に折り返すことにより、互いに対向する支持ベルト部６１が形成されるとともに、その各支持ベルト部６１の中間部同士が連結ベルト部６４により連結され、また、底部部分が底部ベルト部６３によって連結されている。そして、支持ベルト部６１の上側部分におけるＵ字状の折り返し部がそれぞれ取手ベルト部６２として利用される。このような手提げ運搬具６０によれば、１本のベルト素材を４回湾曲状に折り返すようにすることで、対向する支持ベルト部６１が容易に形成される。また、ゴミ袋Ｇを出し入れする際も、支持ベルト部６１の側方が開放されているため、それを容易に行うことができる。
【００４２】
図１６に示す実施例１０の手提げ運搬具７０は、四角い布状の底部材７３を中間にしてそれぞれ対向するように立ち上がる支持ベルト部７１を備え、それらの支持ベルト部７１をつなぐ湾曲状の折り返し部分が取手ベルト部７２とされている。支持ベルト部７１の基材は、１つの大きな閉ループ状のもので、その中間部分に底部材７３が縫製・リベット留等その他の固定手段により固定されている。この手提げ運搬具７０によれば、単純な形態ながらも、底部材７３によりゴミ袋Ｇの底部が面状に受けられ、比較的安定した状態で手軽にゴミ袋を運搬することができる。
【００４３】
図１７に本発明の実施例１１である手提げ運搬具８０を示す。この手提げ運搬具８０は、四角いシート状の底部材８３と、その四角い底部材８３の対角同士をそれぞれＵ字状につなぐ支持ベルト部８１を備え、この支持ベルト部８１の上側のＵ字状折り返し部分が取手ベルト部８２とされている。この手提げ運搬具８０では、ゴミ袋Ｇ等を支持ベルト部８１の側方からくぐらせて底部材８３上に置き、取手ベルト部８２を把持してこれを吊り上げ運搬することができる。
【００４４】
図１８は、本発明の実施例１２である手提げ運搬具９０を示すものである。この手提げ運搬具９０では、四角いシート状の底部材９３の４つの角からそれぞれ４本の支持ベルト部９１が上方に伸び、それらが上端部で結束されることにより、この結束部分が取手部９２とされている。この運搬具９０でも支持ベルト部９１間の空間から底部材９３上にゴミ袋Ｇ等を載置し、取手部９２を持って運搬することができる。
【００４５】
図１９は、本発明の実施例１３である手提げ運搬具１００を示すものである。この運搬具１００は、四角いシート状の底部材１０３の互いに対角上に対向する角部同士をＵ字状につなぐ各支持ベルト部１０１を備え、その支持ベルト部１０１の上部クロス部に取手部１０２が、自身の両側のフック部１０２ａにおいて係止される。そして底部材１０３上に載置されて支持ベルト部１０１で支持されるゴミ袋Ｇを、この取手部１０２を把持して吊り上げ運搬することができる。
【００４６】
図２０に本発明の実施例１４である手提げ運搬具１１０を示す。この運搬具１１０は、図１５に示すものと形態的には同様に、１本のベルト部材を８の字状に４回湾曲させ折り返して対向する１組の支持ベルト部６１が形成され、その底部が底部ベルト部６３で連結されるとともに、各支持ベルト部６１の中間部同士が連結ベルト部６４で連結されている。そして、連結ベルト部６４の両端部にはベルト通し部６５が形成され、ここに支持ベルト部６１が所定の摩擦力で挿し通される結果、各連結ベルト部６４が支持ベルト部６１の長手方向に沿って移動でき、かつ、その静止位置でベルト通し部６５と支持ベルト部６１との摩擦により保持されるようになっている。図２０の下側部分は連結ベルト部６４を下方に移動させた状態を示している。このようにすれば、小さなゴミ袋でも支持ベルト部６１間からすり抜けて落下したりすることが防止される。
【００４７】
図２１は、本発明の実施例１５である手提げ運搬具１２０を示すものである。この運搬具１２０は、四角いシート状又は布状の底部材１２３と、その４つの角から上方へ立ち上がる４本の支持ベルト部１２１と、各２本ずつのベルトの上端にそれぞれ取り付けられた２本の横棒部材１２４と、この横棒部材１２４の中央部に凸状に形成された取手部１２２とを備えている。各横棒部材１２４は、例えば円形断面のもので、この外周に各支持ベルト部１２１の上端が固定される。各横棒部材１２４を回転させることにより、支持ベルト部１２１が所定量巻き取られた状態になると、図２１の下側に示すように、手提げ運搬具１２０の高さ寸法Ｈ2が小さくなって、背の低い運搬具１２０となり、横棒部材１２４を反対側に回転させて支持ベルト部１２１を巻き戻した状態になると、支持ベルト部１２１の長さが長くなって、図２１の上側に示すように、手提げ運搬具１２０の高さ寸法Ｈ1が大きくなって、背の高い運搬具１２０になるようになっている。これによれば、大きなゴミ袋の場合は、図２１の上側のように支持ベルト部１２１を長く使用してゴミ袋を保持し、小さいゴミ袋の場合は、下側に示すように、支持ベルト部１２１を短く設定してゴミ袋の高さ寸法に合わせることができる。またゴミ袋は、この手提げ運搬具１２０の正面からでも、開放された両側部からも入れることができる。
【００４８】
次に、図２２ないし図２９に従って、四角いシート状又は布状の底部材８３に対しクロス状に支持ベルト部８１等を連結若しくは取り回すいくつかの接続例を説明する。
【００４９】
図２２の接続例１では、四角いシート状又は布状の底部材８３の互いに対応する対角線上に、例えばＵ字状の支持ベルト部８１の各端部が縫い付け・リベット、その他の方法により接続されている。図２３の接続例２では、例えばそれぞれ閉ループ状をなす支持ベルト部８１が四角いシート状の底部材８３の対応する対角線上を通るようにクロスされ、かつその４ヶ所の角部及び必要に応じてその交差部において縫い付けあるいはリベット留その他適宜の固定手段により固定されている。
【００５０】
図２４に示す接続例３では、四角いシート状の底部材８３の各対角上に長手状のベルト通しガイド８４が固定され、これらベルト通しガイド８４内のベルト通路に、例えば、それぞれ閉ループ状をなす支持ベルト部８１が挿し通されて底部材８３と各支持ベルト部８１とが連結されている。
【００５１】
図２５に示す接続例４では、四角いシート状の底部材８３に対し、例えばそれぞれ閉ループ状をなす支持ベルト部８１がクロスするように取り回されるとともに、その底部材８３の４つの角部近傍に設けられたベルト通し部８５に支持ベルト部８１がそれぞれ挿し通されて、各支持ベルト部８１と底部材８３とが連結されている。
【００５２】
図２６に示す接続例５では、図２５に示すベルト通し部８５に加え、各支持ベルト部８１の交差部中心を取り囲むように例えば４つのベルト通し部８５が付加され、各支持ベルト部８１はこれら複数のベルト通し部８５（例えば４個ずつ）に挿し通されることにより、底部材８３に連結されている。
【００５３】
図２７に示す接続例６では、四角いシート状の底部材８３の各対角線上に沿って例えば２個ずつのベルト通しガイド８６がそれぞれ縫い付け等により固定され、各ベルト通しガイド８６にはベルト８１を通すベルト通路が形成され、そのベルト通しガイド８６に支持ベルト部８１が通されることによって底部材８３と接続されている。
【００５４】
図２８に示す接続例７では、１つのベルト素材が方形に折り畳まれて四角形が形成されて、これが底部材８７とされる。この底部材８７の角部に支持ベルト部８１を底部材８７の各対角上に通すためのスリット８８が形成され、このスリット８８に支持ベルト部８１が通されることによって底部材８７と接続されている。
【００５５】
図２９に示す接続例８では、方形の底部材８３に対し、その対角上にクロスするように取り回される支持ベルト部８１が、その底部材８３に縫い付け等により固定されたベルト通しガイド８４及び２個のベルト通し部８５に挿し通されて底部材８３と接続されている。
【００５６】
次に、図３０ないし図３３に基づいて、底部材に対し支持ベルト部が平行に接続されるいくつかの接続例を示す。
【００５７】
図３０に示す平行接続例１では、四角いシート状の底部材８３の４つの角部に例えばＵ字状をなす支持ベルト部８１の両端が縫い付け又はリベット等により固定される。
【００５８】
図３１に示す平行タイプ接続例２では、四角いシート状の底部材８３の両側の辺に沿って２つのベルト通しガイド９４が縫い付け等により固定され、このベルト通しガイド９４の内部に形成された通路に各支持ベルト部９１が挿し通されることにより、底部材８３と接続される。
【００５９】
図３２に示す平行タイプ接続例３では、四角いシート状の底部材８３の両側の辺と平行にそれぞれ閉ループ状の支持ベルト部９１が取り回され、かつ底部材８３の四隅に形成されたベルト通し部９５に各支持ベルト部９１が挿し通されることにより底部材８３と接続される。
【００６０】
図３３に示す平行タイプ接続例４では、四角いシート状の底部材９３の両側部が中央側に折り返され、その折り返し端縁に沿って縫いこまれることにより、両側にベルト通しガイド９８を有する底部材９３が構成され、支持ベルト部９１がそれぞれのベルト通しガイド９８に挿通されることにより支持ベルト部９１と底部材９３とが接続されている。
【００６１】
なお、図３４に実施例１６として示す運搬具１３０のように、例えば図１３ないし図１５における支持ベルト部４１（ここでは図１３で代表させて説明する）を閉ループ形態ではなく、１本の長手状のベルト部材を互いに重なり合うようにバックル１５５で固定し、このバックル１５５を介して支持ベルト部４１の重なり度合いを調整することにより、支持ベルト部４１の高さ寸法を長くしたり短くしたりすることができ、これによって運搬すべきゴミ袋等の大きさに合わせることができる。この際、図２０等で示した連結ベルト部６４の移動調整の構造と同様に、図３４の底部材（底ベルト部）４３や連結ベルト部４４を支持ベルト部４１に対してその長手方向に移動させ、その移動後の位置に保持することにより、長さが調整された後の支持ベルト部４１に対して、底部材４３や連結ベルト部４４を適切な位置に移動調整することができる。
【００６２】
以上説明した実施例では、所定幅の板状のベルト部材を中心に説明したが、ベルト部材としては必ずしも扁平薄肉状のものに限らず、断面が例えば円形あるいは矩形、楕円等線状ないしは紐状のベルト部材を利用して支持ベルト部、連結ベルト部、底ベルト部あるいは取手ベルト部を構成してもよい。
【図面の簡単な説明】
【００６３】
【図１】本発明の実施例１の斜視図。
【図２】実施例２の斜視図。
【図３】実施例３の斜視図。
【図３Ａ】図３の変形例を示す斜視図。
【図３Ｂ】図３Ａの更なる変形例を示す展開図。
【図４】実施例１の展開図。
【図５】実施例２の展開図。
【図６】実施例３の展開図。
【図７】実施例１の正面図。
【図８】実施例２の正面図。
【図９】実施例３の正面図。
【図１０】実施例４の斜視図。
【図１１】実施例５の斜視図。
【図１２】実施例６の斜視図。
【図１３】実施例７の斜視図。
【図１４】実施例８の斜視図。
【図１５】実施例９の斜視図。
【図１６】実施例１０の展開図。
【図１７】実施例１１の斜視図。
【図１８】実施例１２の斜視図。
【図１９】実施例１３の斜視図。
【図２０】実施例１４の斜視図及び使用説明図。
【図２１】実施例１５の斜視図及び使用説明図。
【図２２】底部材と支持ベルト部とのクロスタイプ接続例１を示す底面図。
【図２３】底部材と支持ベルト部とのクロスタイプ接続例２を示す底面図。
【図２４】底部材と支持ベルト部とのクロスタイプ接続例３を示す底面図。
【図２５】底部材と支持ベルト部とのクロスタイプ接続例４を示す底面図。
【図２６】底部材と支持ベルト部とのクロスタイプ接続例５を示す底面図。
【図２７】底部材と支持ベルト部とのクロスタイプ接続例６を示す底面図。
【図２８】底部材と支持ベルト部とのクロスタイプ接続例７を示す底面図。
【図２９】底部材と支持ベルト部とのクロスタイプ接続例８を示す底面図。
【図３０】底部材と支持ベルト部との平行タイプ接続例１を示す底面図。
【図３１】底部材と支持ベルト部との平行タイプ接続例２を示す底面図。
【図３２】底部材と支持ベルト部との平行タイプ接続例３を示す底面図。
【図３３】底部材と支持ベルト部との平行タイプ接続例４を示す底面図。
【図３４】実施例１６を示す斜視図及び使用説明図。
【符号の説明】
【００６４】
１０，２０，３０，３０’，３０’’，４０，５０，６０，７０，８０，９０，１００，１１０，１２０，１３０  ゴミ袋等運搬用手提げ運搬具
１１，２１，３１，４１，５１，６１，７１，８１，９１，１０１，１２１  支持ベルト部
１２，２２，３２，４２，５２，６２，７２，８２  取手ベルト部（取手部）
１３（１３ａ，１３ｂ），２４，３３，４３，６３  底ベルト部（底部材）
５３，７３，８３，９３，１０３，１２３  底部材
１４，２３，３４，４４，５４，６４  連結ベルト部
２４  下側ベルト連結部
２５  縦連結ベルト部
２６  上下方向連結ベルト部
３５  結束ベルト部
６５，８５，９５  ベルト通し部
８４，８６，９４，９８  ベルト通しガイド
９２，１０２，１２２  取手部
１５５  バックル
【図１】
0004777308.tif 000002
【図２】
0004777308.tif 000003
【図３】
0004777308.tif 000004
【図３Ａ】
0004777308.tif 000005
【図３Ｂ】
0004777308.tif 000006
【図４】
0004777308.tif 000007
【図５】
0004777308.tif 000008
【図６】
0004777308.tif 000009
【図７】
0004777308.tif 000010
【図８】
0004777308.tif 000011
【図９】
0004777308.tif 000012
【図１０】
0004777308.tif 000013
【図１１】
0004777308.tif 000014
【図１２】
0004777308.tif 000015
【図１３】
0004777308.tif 000016
【図１４】
0004777308.tif 000017
【図１５】
0004777308.tif 000018
【図１６】
0004777308.tif 000019
【図１７】
0004777308.tif 000020
【図１８】
0004777308.tif 000021
【図１９】
0004777308.tif 000022
【図２０】
0004777308.tif 000023
【図２１】
0004777308.tif 000024
【図２２】
0004777308.tif 000025
【図２３】
0004777308.tif 000026
【図２４】
0004777308.tif 000027
【図２５】
0004777308.tif 000028
【図２６】
0004777308.tif 000029
【図２７】
0004777308.tif 000030
【図２８】
0004777308.tif 000031
【図２９】
0004777308.tif 000032
【図３０】
0004777308.tif 000033
【図３１】
0004777308.tif 000034
【図３２】
0004777308.tif 000035
【図３３】
0004777308.tif 000036
【図３４】
0004777308.tif 000037